(57)【要約】【目的】システムが配置される場所を利用する人に有効な広告を配信し、広告主への集客効果を高めることができる情報表示システムを提供すること。【構成】人の特徴ごとに用意された情報が記録されている情報蓄積手段と、ディスプレイ等の情報表示手段と、ビデオカメラなどの映像入力手段と、該映像入力手段から入力された映像から人の特徴を検出する特徴検知手段が少なくともネットワークに接続され、該特徴検知手段は該人の特徴が特定の特徴と一致するか否かを該情報蓄積手段に通知し、該情報蓄積手段は一致する特徴用に用意された情報を該情報表示手段に出力する。【選択図】      図１
2004245856.tif 000002
【特許請求の範囲】
【請求項１】
ハードディスク等の情報蓄積手段に記録された複数の情報をディスプレイ等の情報表示手段に表示するシステムであって、
映像入力手段から入力された人の特徴検知情報に基づき、人の特徴ごとに用意された任意の情報を選択して該情報表示手段に表示することを特徴とする情報表示システム。
【請求項２】
人の特徴ごとに用意された情報が記録されている情報蓄積手段と、ディスプレイ等の情報表示手段と、ビデオカメラなどの映像入力手段と、該映像入力手段から入力された映像から人の特徴を検出する特徴検知手段が少なくともネットワークに接続され、該特徴検知手段は該人の特徴が特定の特徴と一致するか否かを該情報蓄積手段に通知し、該情報蓄積手段は一致する特徴用に用意された情報を該情報表示手段に出力することを特徴とする情報表示システム。
【請求項３】
人の特徴ごとに用意された情報が記録されている情報蓄積手段と、ディスプレイ等の情報表示手段と、検出すべき人の映像を入力するための第１の映像入力手段と、該映像入力手段から入力された映像から人の特徴を検出する特徴検知手段と、広告主等の映像を入力するための第２の映像入力手段が少なくともネットワークに接続され、該特徴検知手段は特徴が一致しないとき、該情報蓄積手段に記録されている情報を該情報表示手段に出力すべくネットワークを制御し、特徴が一致するときに第２の映像入力手段からの情報を該情報表示手段に出力すべくネットワークを制御することを特徴とする情報表示システム。
【請求項４】
前記特徴検知手段は、映像入力手段から入力される信号のパターンを一定時間ごとに人がいないときの信号パターンと比較し、不一致が発生した位置及びパターンにより人の特徴を検出し通知することを特徴とする請求項１〜３の何れかに記載の情報表示システム。
【請求項５】
前記特徴検知手段は、映像入力手段から入力される映像の１フレーム分を複数に分割し、分割された映像ごとに特徴検出を行い、特定の特徴が検出された該分割された映像の数により表示すべきコンテンツを選択すること特徴とする請求項１〜３の何れかに記載の情報表示システム。
【請求項６】
映像入力手段から入力される信号のパターンを一定時間ごとに人がいないときの信号パターンと比較し、基準線より上に不一致が発生した場合に男と判定し、基準線より下にのみ不一致があり且つ不一致部の上部に黒、不一致部の下部にピンクが検出された場合に女と判定し、別の基準線よりも下のみに不一致が検出された場合に子供と判定することを特徴とする特徴判定方法。
【発明の詳細な説明】
【０００１】
【発明の属する技術分野】
本発明は、情報表示システム及びそれに用いる特徴判定方法に関する。
【０００２】
【従来の技術】
商品、サービス等の広告媒体としてはテレビ、ラジオ、雑誌、チラシ、ポスター、インターネット等があり、費用と効果に応じてそれぞれ利用されている。
【０００３】
最近では人通りの多い繁華街のビル壁面に大画面ディスプレイを設置し、それに広告を出すサービスも増えてきている。これらは媒体使用料が高いため主に大企業が利用している。
【０００４】
一方、キオスク端末等、個々の人に情報を提供する端末も駅前等に設置されるようになり、その端末からは大企業の広告に限らず地域の様々な情報が引き出されるようになってきている。
【０００５】
【発明が解決しようとする課題】
前記大画面ディスプレイが設置される場所は、人通りが多く、待ち合わせに適した広場があり、且つ、横断歩道の前にあるビルの壁面が適している。このような場所では広告提供者が努力しなくても常に大勢の人がいて自然とその広告に目をやるので広告宣伝効果が非常にあると言える。
【０００６】
しかしながら、そのような立地条件の良い場所は大都市の一部しかなく、そのような場所での広告費用はテレビのコマーシャルと同様に高価であり、商店等の中小企業或は個人が広告を出せるようなものではない。
【０００７】
今後、商店、個人等が気軽に広告を出せるような地域の広告システムが必要とされており、それを実現するためには地域で最も人通りの多いと思われる駅或は駅周辺のデパート等にそのようなシステムを配置することが望ましいが、ただ広告を流せば良いというものではなく、歩いている人の足を止めるような方策を考え出さなければならないという課題があった。
【０００８】
１つの方策として広告を見ている人の男女の種別などが判別できればそれぞれに適した広告を放映することで足を止めることができる。厳密に男女の判別を行うには特開２０００−２２２５７２に記載されているような方法があるが、歩いている人に広告を見せるという用途では、精度は低くとも解析に時間が掛からず瞬時に判定できる方法が望まれていた。
【０００９】
本発明は上記事情に鑑みてなされたもので、その目的とする処は、システムが配置される場所を利用する人に有効な広告を配信し、広告主への集客効果を高めることができる情報表示システム及びそれに用いる特徴判定方法を提供することにある。
【００１０】
【課題を解決するための手段】
上記目的を達成するため、本発明は、映像入力手段から入力された人の特徴検知情報に基づき、人の特徴ごとに用意された任意の情報を選択して該情報表示手段に表示するようにする。
【００１１】
システム構成は、人の特徴ごとに用意された情報が記録されている情報蓄積手段と、ディスプレイ等の情報表示手段と、ビデオカメラ等の映像入力手段と、該映像入力手段から入力された映像から人の特徴を検出する特徴検知手段を少なくともネットワークに接続し、該特徴検知手段は該人の特徴が特定の特徴と一致するか否かを該情報蓄積手段に通知し、該情報蓄積手段は一致する特徴用に用意された情報を該情報表示手段に出力する。
【００１２】
或は、人の特徴ごとに用意された情報が記録されている情報蓄積手段と、ディスプレイ等の情報表示手段と、検出すべき人の映像を入力するための第１の映像入力手段と、該映像入力手段から入力された映像から人の特徴を検出する特徴検知手段と、広告主等の映像を入力するための第２の映像入力手段を少なくともネットワークに接続し、該特徴検知手段は特徴が一致しないとき、該情報蓄積手段に記録されている情報を該情報表示手段に出力すべくネットワークを制御し、特徴が一致するときに第２の映像入力手段からの情報を該情報表示手段に出力しても良い。
【００１３】
尚、前記特徴検知手段は、映像入力手段から入力される信号のパターンを一定時間ごとに人がいないときの信号パターンと比較し、不一致が発生した位置及びパターンにより人の特徴を検出し通知する。
【００１４】
或は、前記特徴検知手段は、映像入力手段から入力される映像の１フレーム分を複数に分割し、分割された映像ごとに特徴検出を行い、特定の特徴が検出された該分割された映像の数により表示する。
【００１５】
尚、特徴判定方法は、映像入力手段から入力される信号のパターンを一定時間ごとに人がいないときの信号パターンと比較し、基準線より上に不一致が発生した場合に男と判定し、基準線より下にのみ不一致があり且つ不一致部の上部に黒、不一致部の下部にピンクが検出された場合に女と判定し、別の基準線よりも下のみに不一致が検出された場合に子供と判定する。
【００１６】
【発明の実施の形態】
以下に本発明の実施の形態を添付図面に基づいて説明する。
【００１７】
＜実施の形態１＞
図１は本発明の情報表示システムの構成を示す図である。
【００１８】
図１において、１０１は情報蓄積手段であるところの映像サーバ、１０２は情報表示手段であるところのディスプレイ、１０３は映像入力手段であるところのビデオカメラ、１０４は特徴検知手段であるところの映像制御部、１０５は１０１〜１０４間で通信を行うためのネットワーク装置である。
【００１９】
映像サーバ１０１は、ハードディスク等の記録媒体を持つ蓄積装置であり、予め広告等の映像が多数記録されている。コンテンツは男性向広告、女性向広告、子供向広告等、人の特徴によって分類されて記録されている。
【００２０】
ディスプレイ１０２は、人の目に触れ易い場所に配置され、映像サーバ１０１から送られた映像を表示する。
【００２１】
ビデオカメラ１０３は、ディスプレイ１０２付近に設置され、辺りの映像を取り込んで映像制御部１０４へ送信する。
【００２２】
映像制御部１０４は、送られた信号パターンを解析し、人の特徴を検出して検出結果を映像サーバ１０１に送信する。尚、映像制御部１０４は映像サーバ１０１に内蔵することが装置構成上好ましいが、本発明はそれに限定されるものではなく、ネットワーク上のどこに配置されても構わない。
【００２３】
ネットワーク装置１０５は、１０１〜１０４間を光ファイバ又はツイストペアケーブル等で接続し、映像信号又は制御信号を必要な相手先に伝送している。
【００２４】
尚、映像サーバ１０１、ディスプレイ１０２、ビデオカメラ１０３、映像制御部１０４は、ネットワーク装置１０５に接続する通信インタフェイスを有しているか、或はパソコン等を介してネットワーク装置１０５に接続されるものである。
【００２５】
本システムは、例えばデパート等に配置することを想定しており、デパートに来た人に有効な情報を提供し、集客効果を高めることを目的としている。デパートの場合、食料品、衣料品、玩具等によって商品を売るべき相手が異なる。例えば食料品売り場は主婦層、衣料品売り場では成人男性又は成人女性、玩具売り場では子供と対象が異なるので、それらの対象ごとに商品情報等を提供すれば集客効果が上がると思われる。本システムは人手を借りることなくそれを実現している。
【００２６】
本システムの動作を図１で詳細に説明する。
【００２７】
先ず、デパート内の人の様子をビデオカメラ１０３で取り込み、ネットワーク装置１０５を介して映像制御部１０４に送り、人の特徴を検出する。人の特徴検出方法は以下のように行う。
【００２８】
先ず、人が映っていないときの映像信号のパターンを比較対照として記録しておく。人がいないときは動くものが殆ど無いので、映像信号は固定パターンになり、そのパターンを基準パターンとしそれと一致するか否かで人の有り無しが判断できる。
【００２９】
次に、男性を検出する場合は例えば「身長が基準値１より高い」という条件を１つのパラメータとして設定し、図３（ａ）のように或る基準値１よりも上部に基準パターンと不一致が検出されれば男性が来たと判断することにする。女性を検出する場合は例えば「身長が基準値１より低い、最上部の黒色が多い（髪の毛が多い）、洋服の色がピンク系統」等の幾つかの条件を設定し、図３（ｂ）のように基準線１の上部の信号パターンは一致し、不一致の最上部のある領域に黒が多い、それより下にピンク系が多いという条件が信号解析により満足すれば女性と判断することにする。同様に子供を検出する場合は、基準値２よりも上の信号パターンが一致している等の条件で判定すれば良い。
【００３０】
この検出結果は映像サーバ１０１へ送られ、複数のコンテンツの中から検出した特徴の人向けのコンテンツがディスプレイ１０２に送られて表示される。例えば男性を検出したら男性用衣料品店の広告を、女性を検出したら化粧品の広告を、子供を検出したらゲームの広告を表示すればその人たちが広告の店に足を運ぶ可能性が高まる。広告の配信時間は例えば１コンテンツ１５秒程度にし、１５秒ごとに特徴検出を行って、最適な広告を配信するようにすれば良い。尚、前記特徴検出方法では１００％男女や子供を検出できる訳ではない。
【００３１】
しかしながら、前記検出方法の条件を更に増やすことで、検出確度を上げることは可能で、或る程度の確度が得られれば広告効果は十分上がると考えられる。仮に間違って検出しても興味の無い広告が放映されるだけで特に問題は発生しない。又、どの条件にも一意しない場合や人がいない場合は、企業名等、特徴に関係ない情報流せば良い。又、ビデオカメラ１０３の設置場所をエスカレータ降り口付近にし降りる人を撮影すれば１人又は２人の人が止まっている状態で撮影されるので、正確な判定がし易くなる。
【００３２】
このようにすると、図１のＡ地点にいる集団の中のある特徴の人を広告主方面Ｄへ導くことができる。
【００３３】
＜実施の形態２＞
図２は実施の形態２のシステム構成を示す図であり、２０１は第２のビデオカメラ、その他は実施の形態１と同じである。
【００３４】
本システムの動作を図２で詳細に説明する。
【００３５】
実施の形態１では、予め広告用コンテンツを映像サーバに記録しておく必要があった。しかしながら、生鮮食料品等の毎日特売品の内容が変わるような場合は、コンテンツ制作に手間が掛かり、広告主の負担が大きくなる問題があった。そこで、次のようにシステムを構成する。
【００３６】
先ず、デパート内の人の様子をビデオカメラ１０３で取り込み、ネットワーク装置１０５を介して映像制御部１０４に送り、人の特徴を検出する。人の特徴検出方法は実施の形態１と同様に行う。ここで、男性衣料品店や玩具店等の広告主１と生鮮食料品店等の広告主２では広告の配信方法を変更する。男性或は子供を検出した場合、その検出結果は映像サーバ１０１へ送られ、複数のコンテンツの中から男性衣料品店或は玩具店の広告がディスプレイ１０２に送られて表示される。
【００３７】
一方、女性を検出した場合、映像制御部１０４はネットワーク装置１０５へ制御信号を送り、ビデオカメラ２０１からの信号をディスプレイ１０２へ接続してビデオカメラ２０１の映像が表示されるようにする。ビデオカメラ２０１は生鮮食料品店である広告主２に設置されており、店内の様子が映し出される。このとき、広告主２が直接検出した女性に向かって話し掛けるように宣伝を行えば、その女性が広告主２へ向かう可能性が高まる。
【００３８】
このようにすると、図１のＡ地点にいる集団の中のある特徴の人を広告主１方面Ｃへ、或る特徴の人を広告主２方面Ｄへ導くことができる。
【００３９】
＜実施の形態３＞
実施の形態１の特徴検出方法の場合、コンテンツが放映される一定時間ごとにたまたまその場にいる人の特徴検出を行って、その人に有用な情報が配信される。
【００４０】
しかしながら、検出された特徴を持つ人がその周りの集団の中で少数の場合、つまり男性が検出されたときその周りには女性ばかりいたとすると、宣伝の効果が低くなってしまうので、人の特徴の多数派を検出する方法を説明する。
【００４１】
図４（ａ）〜（ｃ）はビデオカメラ１０３がディスプレイ１０２周辺を撮影している様子で順に人が多くなっている。映像制御部１０４では入力映像を１６個に分割してそれぞれの領域ことに人の特徴を検出する。
【００４２】
ここで、例えば「頭部に黒が多い場合は女性である」という条件を適用すると、（ａ）では１箇所、（ｂ）では３箇所、（ｃ）では７箇所に女性が検出される。例えば、５箇所以上に条件の一致が検出されればその特徴の人が大勢いると定義すれば、（ｃ）の状況のときに女性用衣料品店や生鮮食料品店の広告を映像サーバから放映したり、或はその広告主の店のライブ映像をビデオカメラから取り込んで放映しても良い。或は複数の条件で解析を行い、一番多い条件に合うコンテンツを放映するようにしても良い。
【００４３】
このようにすると、ディスプレイ前Ｂを通る多くの人の中で一番多い特徴の人に有効な広告を配信することができ、多くの人を広告主方面へ導くことができる。
【００４４】
【発明の効果】
以上説明したように、このシステムが配置される場所を利用する人に有効な広告を配信し、広告主への集客効果を高めることができる。
【００４５】
又、無駄な時間に広告を配信しないので、広告主の広告負担費用を削減できる。
【００４６】
更に、人手を使うことなく人手を使ったのと同様な効果を生むので、人件費が節約できる。
【００４７】
又、男女や子供を簡単な方法で識別するので、映像制御部のコストが低くなり、解析時間も短くなる効果がある。
【図面の簡単な説明】
【図１】本発明の実施の形態１のシステム構成を示す図である。
【図２】本発明の実施の形態２のシステム構成を示す図である。
【図３】本発明の実施の形態１の特徴検知方法を説明する図である。
【図４】本発明の実施の形態３の特徴検知方法を説明する図である。
【符号の説明】
１０１          映像サーバ
１０２          ディスプレイ
１０３，２０１  ビデオカメラ
１０４          映像制御部
１０５          ネットワーク装置
【図１】
2004245856.tif 000003
【図２】
2004245856.tif 000004
【図３】
2004245856.tif 000005
【図４】
2004245856.tif 000006